(57)【要約】【課題】コルゲートチューブの装着作業をやりやすくすることのできるプロテクタを提供すること。【解決手段】ガイドリブ２０は、底壁１３ａ、第１側壁および前記第２側壁１３ｂの内周の周方向に沿って凸状に形成され、且つ、第１側壁および第２側壁１３ｂの内周に形成されたガイドリブ２０の上端部２１が第１側壁および第２側壁１３ｂの上端部よりも上方に延設されている。【選択図】図１
2010011538.tif 000002
【特許請求の範囲】
【請求項１】
プロテクタ本体と、前記プロテクタ本体の端部から延設された、コルゲートチューブの長手方向の端部を収納するためのコルゲートチューブ保持部と、を備えたプロテクタであって、
前記コルゲートチューブ保持部は、前記コルゲートチューブを収納するための空間を囲む複数の壁として、前記コルゲートチューブを収納した際の該コルゲートチューブの下側に位置し、且つ前記コルゲートチューブの長手方向に沿って延設された底壁と、前記底壁から上方に向けて延設された第１側壁および第２側壁と、を有し、
前記底壁、前記第１側壁および前記第２側壁の内面には、前記コルゲートチューブを収納した際の該コルゲートチューブの外周の谷部に係合する係合凸部と、前記係合凸部よりも前記プロテクタ本体側に位置する、前記コルゲートチューブを収納する際に該コルゲートチューブの先端部を前記底壁、前記第１側壁および前記第２側壁により囲まれる空間に導くガイドリブと、が形成され、
前記ガイドリブは、前記底壁、前記第１側壁および前記第２側壁の内側に向かって突出して形成され、そして
該ガイドリブの上端部が前記第１側壁および前記第２側壁の上端部よりも上方に延設されている、
ことを特徴とするプロテクタ。
【請求項２】
前記底壁、前記第１側壁および前記第２側壁により囲まれる空間の上面を覆うよう該第１側壁および該前記第２側壁の上端部に取り付け可能なカバーをさらに備え、
前記カバーには、前記ガイドリブのうちの前記第１側壁および前記第２側壁の上端部よりも上方に位置する部分を収容する収容孔が形成されている、
ことを特徴とする請求項１に記載のプロテクタ。
【請求項３】
前記底壁、前記第１側壁および前記第２側壁の内周に形成された前記係合凸部のうちの最も前記プロテクタ本体側に位置するものから前記ガイドリブまでの間隔は、前記コルゲートチューブの谷部の１ピッチ分の寸法より小さく設定されていることを特徴とする請求項１または２に記載のプロテクタ。
【請求項４】
プロテクタにコルゲートチューブを装着するコルゲートチューブ装着方法であって、
プロテクタ本体と、前記プロテクタ本体の端部から延設された、コルゲートチューブの長手方向の端部を収納するためのコルゲートチューブ保持部と、を備え、前記コルゲートチューブ保持部は、前記コルゲートチューブを収納するための空間を囲む複数の壁として、前記コルゲートチューブを収納した際の該コルゲートチューブの下側に位置し、且つ前記コルゲートチューブの長手方向に沿って延設された底壁と、前記底壁から上方に向けて延設された第１側壁および第２側壁と、を有し、前記底壁、前記第１側壁および前記第２側壁の内面には、前記コルゲートチューブを収納した際の該コルゲートチューブの外周の谷部に係合する係合凸部と、前記係合凸部よりも前記プロテクタ本体側に位置する、前記コルゲートチューブを収納する際に該コルゲートチューブの先端部を前記底壁、前記第１側壁および前記第２側壁により囲まれる空間に導くガイドリブと、が形成され、前記ガイドリブは、前記底壁、前記第１側壁および前記第２側壁の内側に向かって突出して形成され、そして該ガイドリブの上端部が前記第１側壁および前記第２側壁の上端部よりも上方に延設されている、プロテクタを用意する準備ステップと、
前記ガイドリブのうちの前記第１側壁および前記第２側壁の上端部よりも上方に位置する部分に前記コルゲートチューブの先端部を押し当てる押し当てステップと、
前記コルゲートチューブの先端部を押し当てた状態で、該コルゲートチューブの端部をを前記底壁、前記第１側壁および前記第２側壁により囲まれる空間に押し込む押し込みステップと、
を有することを特徴とするコルゲートチューブ装着方法。
【請求項５】
前記プロテクタが、前記底壁、前記第１側壁および前記第２側壁により囲まれる空間の上面を覆うよう該第１側壁および該前記第２側壁の上端部に取り付け可能なカバーをさらに備え、
前記カバーには、前記ガイドリブのうちの前記第１側壁および前記第２側壁の上端部よりも上方に位置する部分を収容する収容孔が形成されている、
ことを特徴とする請求項４に記載のコルゲートチューブ装着方法。
【請求項６】
プロテクタにコルゲートチューブを装着するコルゲートチューブ装着方法であって、
プロテクタ本体と、前記プロテクタ本体の端部から延設された、コルゲートチューブの長手方向の端部を収納するためのコルゲートチューブ保持部と、を備え、前記コルゲートチューブ保持部は、前記コルゲートチューブを収納するための空間を囲む複数の壁として、前記コルゲートチューブを収納した際の該コルゲートチューブの下側に位置し、且つ前記コルゲートチューブの長手方向に沿って延設された底壁と、前記底壁から上方に向けて延設された第１側壁および第２側壁と、を有し、前記底壁、前記第１側壁および前記第２側壁の内面には、前記コルゲートチューブを収納した際の該コルゲートチューブの外周の谷部に係合する係合凸部と、前記係合凸部よりも前記プロテクタ本体側に位置する、前記コルゲートチューブを収納する際に該コルゲートチューブの先端部を前記底壁、前記第１側壁および前記第２側壁により囲まれる空間に導くガイドリブと、が形成され、前記ガイドリブは、前記底壁、前記第１側壁および前記第２側壁の内側に向かって突出して形成され、そして該ガイドリブの上端部が前記第１側壁および前記第２側壁の上端部よりも上方に延設されている、プロテクタであって、前記底壁、前記第１側壁および前記第２側壁により囲まれる空間の上面を覆うよう該第１側壁および該前記第２側壁の上端部に取り付け可能なカバーをさらに備え、前記カバーには、前記ガイドリブのうちの前記第１側壁および前記第２側壁の上端部よりも上方に位置する部分を収容する収容孔が形成されている、プロテクタを用意する準備ステップと、
前記ガイドリブのうちの前記第１側壁および前記第２側壁の上端部よりも上方に位置する部分に前記コルゲートチューブの先端部を押し当てる押し当てステップと、
前記コルゲートチューブの先端部を押し当てた状態で、該コルゲートチューブの端部をを前記底壁、前記第１側壁および前記第２側壁により囲まれる空間に押し込む押し込みステップと、
前記底壁、前記第１側壁および前記第２側壁により囲まれる空間の上面を覆い、且つ前記ガイドリブのうちの前記第１側壁および前記第２側壁の上端部よりも上方に位置する部分を前記収容孔に収容するよう前記カバーを取り付ける取り付けステップと、
を有することを特徴とするコルゲートチューブ装着方法。
【発明の詳細な説明】
【技術分野】
【０００１】
本発明は、コルゲートチューブの一端部を保持するプロテクタに関するものである。
【背景技術】
【０００２】
自動車に配策するワイヤハーネスを保護するためのプロテクタが、特許文献１に開示されている。特許文献１のプロテクタ１００は、図５に示すように、プロテクタ本体１０１から電線引出部１０２を突出させ、その電線引出部１０２の内周に、プロテクタ本体１００内から引き出したワイヤハーネスに外装されたコルゲートチューブの山谷部に係合する凹凸部１０３を形成すると共に、その凹凸部１０３の奥側の内底壁にコルゲートチューブの先端を位置規制するためのストッパ１０５を突設したものである。
【０００３】
特許文献１のプロテクタ１００は、コルゲートチューブの先端をストッパ１０５に当てながら、電線引出部１０２に対してコルゲートチューブを収容することにより、電線引出部１０２に対するコルゲートチューブの差込量を一定に管理するとともに、コルゲートチューブの山谷部を電線引出部１０２に設けた凹凸部１０３に合わせて位置決めし、図示しない上カバーを被せることで、ワイヤハーネスを固定する。
【特許文献１】特開２００４−７２９３２号公報
【発明の開示】
【発明が解決しようとする課題】
【０００４】
しかしながら、特許文献１に記載のプロテクタは、コルゲートチューブの先端の位置を規定するストッパ１０５が、電線引出部１０２の内底壁から上方に向けて僅かな高さだけ突設されている構成であるから、コルゲートチューブを電線引出部１０２の内底壁に近い位置まで押し込まないと、ストッパ１０５にコルゲートチューブの先端を当てることができない。そのため、ストッパ１０５をガイドとしながら、コルゲートチューブを装着しようとしても、装着しづらいいことがあった。また、ストッパ１０５が電線引出部１０２の内部に隠れた形になるので、そのストッパ１０５を、コルゲートチューブを固定する際の作業の目安としにくいということがあった。これらのことから、コルゲートチューブの一端部をプロテクタの所定の位置に取り付けることができず、コルゲートチューブの差込量を一定に管理できない場合があった。コルゲートチューブの差込量を一定に管理できないとなると、ワイヤハーネスの長さに対して、該ワイヤハーネスを内部に収容するプロテクタおよびコルゲートチューブの長さが短くあるいは長くなり、ワイヤハーネスに取り付けているクリップが車体パネルの係止穴と一致しなくなる等の問題が発生する。
【０００５】
本発明は、上述した事情に鑑みてなされたものであり、その目的は、コルゲートチューブの装着作業をやりやすくすることのできるプロテクタおよびコルゲートチューブ装着方法を提供することにある。
【課題を解決するための手段】
【０００６】
前述した目的を達成するために、本発明に係るプロテクタは、下記（１）〜（３）を特徴としている。
（１）  プロテクタ本体と、前記プロテクタ本体の端部から延設された、コルゲートチューブの長手方向の端部を収納するためのコルゲートチューブ保持部と、を備えたプロテクタであって、
前記コルゲートチューブ保持部は、前記コルゲートチューブを収納するための空間を囲む複数の壁として、前記コルゲートチューブを収納した際の該コルゲートチューブの下側に位置し、且つ前記コルゲートチューブの長手方向に沿って延設された底壁と、前記底壁から上方に向けて延設された第１側壁および第２側壁と、を有し、
前記底壁、前記第１側壁および前記第２側壁の内面には、前記コルゲートチューブを収納した際の該コルゲートチューブの外周の谷部に係合する係合凸部と、前記係合凸部よりも前記プロテクタ本体側に位置する、前記コルゲートチューブを収納する際に該コルゲートチューブの先端部を前記底壁、前記第１側壁および前記第２側壁により囲まれる空間に導くガイドリブと、が形成され、
前記ガイドリブは、前記底壁、前記第１側壁および前記第２側壁の内側に向かって突出して形成され、そして
該ガイドリブの上端部が前記第１側壁および前記第２側壁の上端部よりも上方に延設されている、
こと。
（２）  上記（１）の構成のプロテクタにおいて、
前記底壁、前記第１側壁および前記第２側壁により囲まれる空間の上面を覆うよう該第１側壁および該前記第２側壁の上端部に取り付け可能なカバーをさらに備え、
前記カバーには、前記ガイドリブのうちの前記第１側壁および前記第２側壁の上端部よりも上方に位置する部分を収容する収容孔が形成されている、
こと。
（３）  上記（１）または（２）の構成のプロテクタにおいて、
前記底壁、前記第１側壁および前記第２側壁の内周に形成された前記係合凸部のうちの最も前記プロテクタ本体側に位置するものから前記ガイドリブまでの間隔は、前記コルゲートチューブの谷部の１ピッチ分の寸法より小さく設定されていること。
【０００７】
上記（１）の構成のプロテクタによれば、コルゲートチューブの先端の位置を規定するガイドリブが、コルゲートチューブ保持部の内周に沿って凸状に形成されており、そのガイドリブの上端が、コルゲートチューブ保持部の側壁の上端より突出しているので、ガイドリブの上端を、コルゲートチューブをコルゲートチューブ保持部に装着する際の位置決めの目安として容易に利用することができる。また、コルゲートチューブ保持部が形成するコルゲートチューブを収納する空間にコルゲートチューブを押し込む前に、ガイドリブにコルゲートチューブの先端を当てることができるので、コルゲートチューブを適正な位置に容易に装着することができる。
上記（２）の構成のプロテクタによれば、カバーに、ガイドリブの上端を受け入れる孔が設けられているので、隙間やガタつきなく、適正にカバーをコルゲート保持部に装着することができる。
上記（３）の構成のプロテクタによれば、最奥側に位置する係合凸部からガイドリブまでの間隔が、コルゲートチューブの谷部の１ピッチ分の寸法より小さく設定されているので、コルゲートチューブの先端をガイドリブに当てながら、コルゲートチューブをコルゲートチューブ保持部に収容することにより、最奥側の係合凸部にコルゲートチューブの最先端側の谷部を係合させることができる。従って、ガイドリブに先端を当てながらコルゲートチューブをコルゲートチューブ保持部に装着することで、コルゲートチューブのコルゲートチューブ保持部に対する差込量を常に一定に管理することができる。
【０００８】
また、前述した目的を達成するために、本発明に係るコルゲートチューブ装着方法は、下記（４）〜（５）を特徴としている。
（４）  プロテクタにコルゲートチューブを装着するコルゲートチューブ装着方法であって、
プロテクタ本体と、前記プロテクタ本体の端部から延設された、コルゲートチューブの長手方向の端部を収納するためのコルゲートチューブ保持部と、を備え、前記コルゲートチューブ保持部は、前記コルゲートチューブを収納するための空間を囲む複数の壁として、前記コルゲートチューブを収納した際の該コルゲートチューブの下側に位置し、且つ前記コルゲートチューブの長手方向に沿って延設された底壁と、前記底壁から上方に向けて延設された第１側壁および第２側壁と、を有し、前記底壁、前記第１側壁および前記第２側壁の内面には、前記コルゲートチューブを収納した際の該コルゲートチューブの外周の谷部に係合する係合凸部と、前記係合凸部よりも前記プロテクタ本体側に位置する、前記コルゲートチューブを収納する際に該コルゲートチューブの先端部を前記底壁、前記第１側壁および前記第２側壁により囲まれる空間に導くガイドリブと、が形成され、前記ガイドリブは、前記底壁、前記第１側壁および前記第２側壁の内側に向かって突出して形成され、そして該ガイドリブの上端部が前記第１側壁および前記第２側壁の上端部よりも上方に延設されている、プロテクタを用意する準備ステップと、
前記ガイドリブのうちの前記第１側壁および前記第２側壁の上端部よりも上方に位置する部分に前記コルゲートチューブの先端部を押し当てる押し当てステップと、
前記コルゲートチューブの先端部を押し当てた状態で、該コルゲートチューブの端部をを前記底壁、前記第１側壁および前記第２側壁により囲まれる空間に押し込む押し込みステップと、
を有する。
（５）  上記（４）に記載のコルゲートチューブ装着方法であって、
前記プロテクタが、前記底壁、前記第１側壁および前記第２側壁により囲まれる空間の上面を覆うよう該第１側壁および該前記第２側壁の上端部に取り付け可能なカバーをさらに備え、
前記カバーには、前記ガイドリブのうちの前記第１側壁および前記第２側壁の上端部よりも上方に位置する部分を収容する収容孔が形成されている、
こと。
また、前述した目的を達成するために、本発明に係るコルゲートチューブ装着方法は、下記（６）を特徴としている。
（６）  プロテクタにコルゲートチューブを装着するコルゲートチューブ装着方法であって、
プロテクタ本体と、前記プロテクタ本体の端部から延設された、コルゲートチューブの長手方向の端部を収納するためのコルゲートチューブ保持部と、を備え、前記コルゲートチューブ保持部は、前記コルゲートチューブを収納するための空間を囲む複数の壁として、前記コルゲートチューブを収納した際の該コルゲートチューブの下側に位置し、且つ前記コルゲートチューブの長手方向に沿って延設された底壁と、前記底壁から上方に向けて延設された第１側壁および第２側壁と、を有し、前記底壁、前記第１側壁および前記第２側壁の内面には、前記コルゲートチューブを収納した際の該コルゲートチューブの外周の谷部に係合する係合凸部と、前記係合凸部よりも前記プロテクタ本体側に位置する、前記コルゲートチューブを収納する際に該コルゲートチューブの先端部を前記底壁、前記第１側壁および前記第２側壁により囲まれる空間に導くガイドリブと、が形成され、前記ガイドリブは、前記底壁、前記第１側壁および前記第２側壁の内側に向かって突出して形成され、そして該ガイドリブの上端部が前記第１側壁および前記第２側壁の上端部よりも上方に延設されている、プロテクタであって、前記底壁、前記第１側壁および前記第２側壁により囲まれる空間の上面を覆うよう該第１側壁および該前記第２側壁の上端部に取り付け可能なカバーをさらに備え、前記カバーには、前記ガイドリブのうちの前記第１側壁および前記第２側壁の上端部よりも上方に位置する部分を収容する収容孔が形成されている、プロテクタを用意する準備ステップと、
前記ガイドリブのうちの前記第１側壁および前記第２側壁の上端部よりも上方に位置する部分に前記コルゲートチューブの先端部を押し当てる押し当てステップと、
前記コルゲートチューブの先端部を押し当てた状態で、該コルゲートチューブの端部をを前記底壁、前記第１側壁および前記第２側壁により囲まれる空間に押し込む押し込みステップと、
前記底壁、前記第１側壁および前記第２側壁により囲まれる空間の上面を覆い、且つ前記ガイドリブのうちの前記第１側壁および前記第２側壁の上端部よりも上方に位置する部分を前記収容孔に収容するよう前記カバーを取り付ける取り付けステップと、
を有する。
【０００９】
上記（４）の構成のコルゲートチューブ装着方法によれば、コルゲートチューブの先端の位置を規定するガイドリブが、コルゲートチューブ保持部の内周に沿って凸状に形成されており、そのガイドリブの上端が、コルゲートチューブ保持部の側壁の上端より突出しているので、ガイドリブの上端を、コルゲートチューブをコルゲートチューブ保持部に装着する際の位置決めの目安として容易に利用することができる。また、コルゲートチューブ保持部が形成するコルゲートチューブを収納する空間にコルゲートチューブを押し込む前に、ガイドリブにコルゲートチューブの先端を当てることができるので、コルゲートチューブを適正な位置に容易に装着することができる。
上記（５）の構成のコルゲートチューブ装着方法によれば、カバーに、ガイドリブの上端を受け入れる孔が設けられているので、隙間やガタつきなく、適正にカバーをコルゲート保持部に装着することができる。
上記（６）の構成のコルゲートチューブ装着方法によれば、カバーに、ガイドリブの上端を受け入れる孔が設けられているので、隙間やガタつきなく、適正にカバーをコルゲート保持部に装着することができる。
【発明の効果】
【００１０】
本発明によれば、プロテクタ本体の側壁の上端に突出したガイドリブの上端を、コルゲートチューブをプロテクタ本体に装着する際の位置決めの目安として利用し、早い段階から、ガイドリブにコルゲートチューブの先端を当てながら、ガイドリブに沿ってコルゲートチューブを適正な位置に容易に装着することができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図面に基づいて詳細に説明する。
【００１３】
図１は実施形態のプロテクタ同士の間にワイヤハーネスを配索する場合の要部構成を示し、（ａ）はカバーを装着する前のコルゲートチューブの装着状態を示す斜視図、（ｂ）はカバーを装着した後の状態を示す斜視図、図２はプロテクタに対するコルゲートチューブの端末の固定部の断面図で、（ａ）はカバーを装着する前の状態を示す図、（ｂ）はカバーを装着した後の状態を示す図、図３はプロテクタ本体の要部上面図で、（ａ）はコルゲートチューブを装着する前の状態を示す上面図（上側の図）およびその部分拡大図（下側の図）、（ｂ）はコルゲートチューブを装着した後の状態を示す上面図（上側の図）およびその部分拡大図（下側の図）、図４は実施形態のプロテクタの全体概要を示す斜視図である。
【００１４】
図４に示す実施形態のプロテクタ１０は、コネクタ８０の電線引出口８２から引き出されたワイヤハーネスを他の箇所へ導く際に、コネクタ８０に装着されて使用されるものであり、コネクタ８０の一端部に嵌合する偏平箱形のコネクタ装着部１０Ａと、コネクタ装着部１０Ａの後方に突き出した筒形の電線引出部１０Ｂとからなる。
【００１５】
プロテクタ１０の一部分を形成するコネクタ装着部１０Ａは、上下に半割りされている。コネクタ装着部１０Ａ下側のプロテクタ本体１１とコネクタ装着部１０Ａ上側のカバー本体１２は、ヒンジ３１を介して一体に連結され、カバー本体１２をプロテクタ本体１１に対し閉じた際に、プロテクタ本体１１側の端部に形成されたロック部３２、３４とカバー本体１２の端部に形成されたロック部３３、３５が互いに係合することにより、プロテクタ本体１１とカバー本体１２がロックされるようになっている。
【００１６】
プロテクタ１０の一部分を形成する電線引出部１０Ｂもまた、上下に半割りされている。電線引出部１０Ｂ下側のコルゲートチューブ保持部１３は、コネクタ装着部１０Ａ下側のプロテクタ本体１１に一体に形成されており、一方、電線引出部１０Ｂ上側のコルゲートチューブ保持部カバー１４は、コネクタ装着部１０Ａ上側のカバー本体１２に一体に形成されている。
【００１７】
コルゲートチューブ保持部１３は、底壁１３ａと両側壁１３ｂを有する上面開放の断面Ｕ字状をなしており、コルゲートチューブ保持部カバー１４は、コルゲートチューブ保持部１３の上面を塞ぐように平面状に形成されている。また、コルゲートチューブ保持部１３の内面（コルゲートチューブを保持する際の該コルゲートチューブに臨む面）には、ワイヤハーネスに外装されたコルゲートチューブ６０の外周の山部６１と谷部６２のうち、谷部６２に係合する係合凸部１５が設けられている。また、コルゲートチューブ保持部カバー１４の内面（コルゲートチューブを保持するコルゲートチューブ保持部１３の上面を塞ぐ際の、該コルゲートチューブに臨む面）にも、コルゲートチューブ６０の外周の山部６１と谷部６２のうち、谷部６２に係合する係合凸部１６が設けられている。
【００１８】
図１〜図３に示すように、コルゲートチューブ保持部１３の係合凸部１５は、底壁１３ａおよび両側壁１３ｂによって形成される空間の内面の周方向に沿って、凸状に形成される。係合凸部１５は、底壁１３ａに２本、両側壁１３ｂにそれぞれ１本、コルゲートチューブ６０の谷部６２のピッチＰの間隔で軸線方向に配列されている。また、係合凸部１５よりも奥側（プロテクタ本体側）には、コルゲートチューブ６０の先端の位置を規定するためのガイドリブ２０が、コルゲートチューブ保持部１３の底壁１３ａおよび両側壁１３ｂの内面の周方向に沿って凸状に形成され、両側壁１３ｂの内面に形成されたガイドリブ２０の上端２１が、側壁１３ｂの上端よりも上方に突出している。
【００１９】
図２（ａ）、（ｂ）に示すように、側壁１３ｂの上端からガイドリブ２０の上端２１までの高さＨ１は、コルゲートチューブ保持部カバー１４の厚さと略同等に設定されている。また、ガイドリブ２０の上端２１の高さは、コルゲートチューブ保持部１３にコルゲートチューブ６０を収容した状態で、コルゲートチューブ６の上端よりも寸法Ｈ２だけ上方に突出するように設定されている。また、コルゲートチューブ保持部カバー１４には、カバー本体１２をプロテクタ本体１１に合体したときに、ガイドリブ２０の上端２１を内部に収容する収容孔１８が設けられている。この収容孔１８は、図示例のように上下に貫通していてもよいし、貫通していなくてもよい。
【００２０】
また、コルゲートチューブ保持部１３の底壁１３ａおよび両側壁１３ｂに形成された係合凸部１５のうち、最奥側に位置する係合凸部１５からガイドリブ２０までの間隔Ａは、コルゲートチューブ６０の谷部６２の１ピッチＰ分の寸法よりも小さく設定されている。
【００２１】
また、コルゲートチューブ保持部１３の底壁１３ａには、コルゲートチューブ６０の先端近傍の位置を目視確認するための窓部１６が設けられており、その窓部１６の奥端の位置は、最奥側の係合凸部１５の位置に等しく設定されている。
【００２２】
このようなの構成のプロテクタ１０にコルゲートチューブをセットする場合は、ワイヤハーネスに外装したコルゲートチューブ６０の先端を、コルゲートチューブ保持部１３に上から挿入する。その際、コルゲートチューブ６０の位置を規定するガイドリブ２０が、コルゲートチューブ保持部１３の内周に沿って凸状に形成され、そのガイドリブ２０の上端２１が、コルゲートチューブ保持部１３の側壁１３ｂの上端より上方に突出しているので、ガイドリブ２０の上端２１を、コルゲートチューブ６０をコルゲートチューブ保持部１３に装着する際の位置決めの目安として容易に利用することができる。また、コルゲートチューブ６０をコルゲートチューブ保持部１３に装着する前の段階から、ガイドリブ２０の上端２１にコルゲートチューブ６０の先端を当てることができるので、コルゲートチューブ６０を適正な位置に容易に装着することができる。
【００２３】
この場合、最奥側に位置する係合凸部１５からガイドリブ２０までの間隔Ａが、コルゲートチューブ６０の谷部６２の１ピッチＰ分の寸法より小さく設定されているので、コルゲートチューブ６０の先端をガイドリブ２０に当てながら、コルゲートチューブ６０をコルゲートチューブ保持部１３に収容することにより、最奥側の係合凸部１５にコルゲートチューブ６０の最先端側の谷部６２を係合させることができる。
【００２４】
例えば、最奥側に位置する係合凸部１５からガイドリブ２０までの間隔Ａがコルゲートチューブ６０の１ピッチＰ分の寸法よりも大きいと、係合凸部１５に、コルゲートチューブ６０の最先端側の谷部６２より１個手前の谷部６２が係合してしまう可能性がある。そうなると、１ピッチＰ分だけコルゲートチューブ６０のコルゲートチューブ保持部１３に対する差込量が違ってしまうが、それを防止することができる。即ち、常にコルゲートチューブ保持部１３の最奥側の係合凸部１５に、コルゲートチューブ６０の最先端側の谷部６２を係合させることができる。従って、ガイドリブ２０に先端を当てながらコルゲートチューブ６０をコルゲートチューブ保持部１３に装着することで、コルゲートチューブ６０のコルゲートチューブ保持部１３に対する差込量を常に一定に管理することができる。
【００２５】
また、コルゲートチューブ保持部１３の底壁１３ａに、コルゲートチューブ６０の先端近傍の位置を目視確認するための窓部１６が設けられ、その窓部１６の奥端位置が、最奥側の係合凸部１５の位置に等しく設定されているので、最奥側の係合凸部１５にコルゲートチューブ６０の先端の谷部６２が係合していないときには、窓部１６からコルゲートチューブ６０の先端の位置が見えることで、コルゲートチューブ６０が奥まで入っていないと直ぐに判断することができる。また、最奥側の係合凸部１５にコルゲートチューブ６０の先端の谷部６２が係合しているときには、窓部１６からコルゲートチューブ６０の先端の位置が見えなくなるので、それにより、コルゲートチューブ６０が奥まで入っていると直ぐに判断することができる。コルゲートチューブ６０が奥まで入っていれば、コルゲートチューブ６０の先端の位置はガイドリブ２０で規制されるので、一定の差込量に管理することができる。
【００２６】
このようにコルゲートチューブ保持部１３にコルゲートチューブ６０を収容したら、上からカバー本体１２を被せ、ロックする。そうすると、コルゲートチューブ保持部カバー１４に形成された収容孔１８に、ガイドリブ２０の上端２１が受け入れられるので、隙間やガタつきなく、適正にカバー本体１２をプロテクタ本体１１に装着することができる。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００２８】
【図１】本発明の実施形態のプロテクタ同士の間にワイヤハーネスを配索する場合の要部構成を示し、（ａ）はカバーを装着する前のコルゲートチューブの装着状態を示す斜視図、（ｂ）はカバーを装着した後の状態を示す斜視図である。
【図２】同プロテクタに対するコルゲートチューブの端末の固定部の断面図で、（ａ）はカバーを装着する前の状態を示す図、（ｂ）はカバーを装着した後の状態を示す図である。
【図３】同プロテクタのプロテクタ本体の要部上面図で、（ａ）はコルゲートチューブを装着する前の状態を示す上面図（上側の図）およびその部分拡大図（下側の図）、（ｂ）はコルゲートチューブを装着した後の状態を示す上面図（上側の図）およびその部分拡大図（下側の図）である。
【図４】同実施形態のプロテクタの全体概要を示す斜視図である。
【図５】従来のプロテクタのプロテクタ本体の構成を示す斜視図である。
【符号の説明】
【００２９】
１０  プロテクタ
１１  プロテクタ本体
１２  カバー本体
１３  コルゲートチューブ保持部
１４  コルゲートチューブ保持部カバー
１５  係合凸部
１６  窓部
１８  収容孔
２０  ガイドリブ
２１  上端
６０  コルゲートチューブ
６２  谷部
【図１】
2010011538.tif 000003
【図２】
2010011538.tif 000004
【図３】
2010011538.tif 000005
【図４】
2010011538.tif 000006
【図５】
2010011538.tif 000007